(57)【要約】      （修正有）【課題】電極パターン、ヒーター膜の形状およびそれらの配置関係に改良を加え、暖房面積に渡ってより均質に発熱を可能とする上、部品点数の増加や構造の複雑化を招くことなく、短絡の発生リスクを低減し、より安全性および経済性に秀でた新たな薄形ヒーター技術を提供する。【解決手段】下面外装フィルム２上一側に設けた一側経線パターン部５０から複数本の一側枝線パターン部５１を枝別れした一側櫛状電極パターン５、下面外装フィルム２上他側に設けた対峙経線パターン部６０から複数本の対峙枝線パターン部６１を枝別れした対峙櫛状電極パターン６、各一側枝・対峙枝線パターン部５１，６１の経線方向端間に渡り、ヒーター帯膜７を配してヒーター回路４とし、当該上・下面外装フィルム２，３との間に、前記ヒーター回路４を積層、密閉状に封止、一体化してなるフィルム型ヒーター１である。【選択図】図１
2017191762.tif 000002
【特許請求の範囲】
【請求項１】
下面外装フィルム上一側に沿って延伸した一側経線パターン部、および、該一側経線パターン部から枝別れした複数本の一側枝線パターン部からなる一側櫛状電極パターンを設け、当該下面外装フィルム上他側に沿って延伸した対峙経線パターン部、および、該対峙経線パターン部から、前記一側枝線パターン部間に平行するよう枝別れした複数本の対峙枝線パターン部からなる対峙櫛状電極パターンを設け、緯線噛合状に配した各一側枝線パターン部と各対峙枝線パターン部との経線方向端間に渡って１または複数本の何れか一方のヒーター帯膜を配してヒーター回路とした上、当該一側櫛状電極パターンおよび対峙櫛状電極パターンの適所から電源供給用ハーネス部を導出し、当該下面外装フィルムと上面外装フィルムとの間に、前記ヒーター回路を積層、密閉状に封止、一体化してなるものとしたことを特徴とするフィルム型ヒーター。
【請求項２】
下面外装フィルム上一側に沿って延伸した一側経線パターン部、および、該一側経線パターン部から枝別れした複数本の一側枝線パターン部からなる一側櫛状電極パターンを設け、当該下面外装フィルム上他側に沿って延伸した対峙経線パターン部、および、該対峙経線パターン部から、前記一側枝線パターン部間に平行するよう枝別れした複数本の対峙枝線パターン部からなる対峙櫛状電極パターンを設け、緯線噛合状に配した各一側枝線パターン部と各対峙枝線パターン部との経線方向端間に渡って１または複数本の何れか一方のヒーター帯膜を配してヒーター回路とした上、当該一側櫛状電極パターンおよび対峙櫛状電極パターンの適所から電源供給用ハーネス部を導出し、当該下面外装フィルムと上面外装フィルムとの間に、前記ヒーター回路を積層、密閉状に封止、一体化し、暖房対象区画または融雪対象区画内に敷設可能なシート状のものとしたことを特徴とするフィルム型ヒーター。
【請求項３】
経線方向所定長、緯線方向所定幅のフレキシブル下面外装フィルム上面上に、緯線方向一方端寄りの経線方向に延伸した導電性一側経線パターン部、および、該一側経線パターン部の経線方向一定間隔置き毎となる複数箇所から枝別れし、当該フレキシブル下面外装フィルム上面上の、緯線方向他方端寄りとなる位置まで延伸した複数本の導電性一側枝線パターン部からなる一側櫛状電極パターンを設け、当該フレキシブル下面外装フィルム上面上の、一側経線パターン部とは反対がわであって、緯線方向他方端寄りの経線方向に延伸し、前記各一側枝線パターン部先端から電気的に隔絶した導電性対峙経線パターン部、および、該対峙経線パターン部経線方向の、前記各一側枝線パターン部間の中間位置に対応する複数箇所から枝別れし、当該フレキシブル下面外装フィルム上面上の、緯線方向一方端寄りの、前記一側経線パターン部近傍であって電気的に隔絶する位置まで延伸した複数本の導電性対峙枝線パターン部からなる対峙櫛状電極パターンを設け、経線方向に等間隔を隔てて緯線噛合状に配した各一側枝線パターン部と各対峙枝線パターン部との経線方向端間に渡り、フレキシブル下面外装フィルム上面上の緯線方向適宜間隔置き毎に配した、複数本のヒーター帯膜を経線状に配列し、経線方向に交互に配した各一側枝線パターン部、各対峙枝線パターン部、および、それらに経線方向に跨る各ヒーター帯膜とが、互いの交叉箇所で電気的に接続するよう積層し、当該一側櫛状電極パターンの一側経線パターン部、および、対峙櫛状電極パターンの対峙経線パターンの適所から、夫々フレキシブル下面外装フィルム上面上より経緯方向何れかの外側に電源供給用ハーネス部を導出し、当該フレキシブル下面外装フィルム上面上の、一側櫛状電極パターンと対峙櫛状電極パターン、およびそれに積層したヒーター帯膜からなるヒーター回路上面上に、フレキシブル上面外装フィルムを積層状に一体化し、該フレキシブル下面外装フィルムとフレキシブル上面外装フィルムとの間に、前記ヒーター回路を密閉状にラミネート封止、一体化してなるものとしたことを特徴とするフィルム型ヒーター。
【請求項４】
ヒーター帯膜が、ＰＴＣ（Ｐｏｓｉｔｉｖｅ  Ｔｅｍｐｅｒａｔｕｒｅ  Ｃｏｅｆｆｉｃｉｅｎｔ：正温度係数）特性を有する発熱体である、請求項１ないし３何れか一記載のフィルム型ヒーター。
【発明の詳細な説明】
【技術分野】
【０００１】
この発明は、床暖房、凍結防止、融雪、消雪などに利用可能なヒーター技術に関連するものであり、特に、シート状、フィルム状、板状などの面状のものとしたヒーターを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                      
【背景技術】
【０００２】
（着目点）
床暖房における経済性および安全性を高める技術として近年注目を集めているＰＴＣ（Ｐｏｓｉｔｉｖｅ  Ｔｅｍｐｅｒａｔｕｒｅ  Ｃｏｅｆｆｉｃｉｅｎｔ：正温度係数）ヒーターは、電気式であって低温時に発熱量を自動的に多くし、温度が高くなると自動的に発熱量を抑える特性を有するから、節電に有利であって環境にも優しいという利点を有していて、窓から差し込んだ太陽光が床面を暖めている範囲や、人が座ったり、寝転がったりして床温度が上昇している部分の発熱量を自動的に抑えることができ、より効率的な暖房を可能とするものとなるが、シート状ヒーターの端部に電源を接続する構造上、電源に近い部分に、より高い電圧が加わり、電源から遠い部分には、それよりも弱い電圧しか加わらないという性質を持ち、面状ヒーター全面に渡って均質な発熱を得るのが難しいという欠点があった。
【０００３】
（従来の技術）
こうした状況を反映し、その打開策となるような提案もこれまでに散見されない訳ではない。
例えば、下記の特許文献１（１）に提案されているものに代表されるように、絶縁フィルム上に蛇腹状に蛇行しつつ、概略Ｕ字形に繋がる１本のカーボングラファイトシートを有し、該Ｕ字形カーボングラファイトシートの両端に電極を接続し、該カーボングラファイトシートの両端付近と両端間の中途箇所との電気抵抗が異なり、発熱斑を生じてしまうことから、該発熱用のカーボングラファイトシートに加えて熱伝導用のカーボングラファイトシートを積層し、発熱斑を軽減するようにしたものや、同特許文献１（２）に見られるような、面状発熱シートの片面または両面に均熱シートを積層し、さらにその両面に絶縁フィルムを被覆して局部過熱を防止可能なものとしてなるＰＴＣ面状発熱体などが散見される。
【０００４】
しかし、それら特許文献１（１）および１（２）に示されているような床暖房装置類は、ＰＴＣ面状発熱体の電源からの距離に応じて生ずる温度勾配を解消し、シート状ヒーターの暖房面積に渡って熱を拡散および均質化可能とするよう、熱伝導用のカーボングラファイトシートや均熱シートなどを積層したものとしなければならず、部品点数、ヒーター厚み寸法、ヒーター重量および製造工数などの増加を招くだけでなく、製造コストを高騰化してしまうという課題を残すものであった。                                            
【特許文献１】（１）特開２００７−１０３０４号公報    （２）特開２００５−１５００７０号公報
【発明の概要】
【発明が解決しようとする課題】
【０００５】
（問題意識）
上述したとおり、従前までに提案のある各種床暖房装置などは、何れも暖房面積を均質に加熱可能とするよう熱拡散用のシート類を必要とするものであり、こうした熱伝導に優れたシート類は、シート状ヒーターおよびその電極回路などに積層状に設けなければならず、ヒーター部分は隠蔽されてしまい、目視確認できず、施工時にカッター釘を誤った箇所に打ち込んでしまう虞があるなど、短絡のリスクを高めてしまう虞があり、さらに、製造コストの高騰化や、安全性の確保といった新たな課題を生ずるという欠点もあることから、それら従来型の床暖房装置から得られた様々な知見に基づき、シート状ヒーターのパターン形状、および電力供給回路の改善などにより、均熱シート類の追加を不要とし、暖房面積に渡って均質に発熱可能とする新技術については、更なる改良の可能性を痛感するに至ったものである。
【０００６】
（発明の目的）
そこで、この発明は、電極パターン、ヒーター膜の形状およびそれらの配置関係に改良を加えて、暖房面積に渡ってより均質に発熱を可能とする上、部品点数の増加や構造の複雑化を招くことなく、短絡の発生リスクを低減し、より安全性および経済性に秀でた新たな薄形ヒーター技術の開発はできないものかとの判断から、逸速くその開発、研究に着手し、長期に渡る試行錯誤と幾多の試作、実験とを繰り返してきた結果、今回、遂に新規な構造のフィルム型ヒーターを実現化することに成功したものであり、以下では、図面に示すこの発明を代表する実施例と共に、その構成を詳述することとする。                                                                          
【課題を解決するための手段】
【０００７】
（発明の構成）
図面に示すこの発明を代表する実施例からも明確に理解されるように、この発明のフィルム型ヒーターは、基本的に次のような構成から成り立っている。
即ち、下面外装フィルム上一側に沿って延伸した一側経線パターン部、および、該一側経線パターン部から枝別れした複数本の一側枝線パターン部からなる一側櫛状電極パターンを設け、当該下面外装フィルム上他側に沿って延伸した対峙経線パターン部、および、該対峙経線パターン部から、前記一側枝線パターン部間に平行するよう枝別れした複数本の対峙枝線パターン部からなる対峙櫛状電極パターンを設け、緯線噛合状に配した各一側枝線パターン部と各対峙枝線パターン部との経線方向端間に渡って、１または複数本の何れか一方のヒーター帯膜を配してヒーター回路とした上、当該一側櫛状電極パターンおよび対峙櫛状電極パターンの適所から電源供給用ハーネス部を導出し、当該下面外装フィルムと上面外装フィルムとの間に、前記ヒーター回路を積層、密閉状に封止、一体化してなるものとした構成を要旨とするフィルム型ヒーターである。
【０００８】
この基本的な構成からなるフィルム型ヒーターは、その表現を変えて示すならば、下面外装フィルム上一側に沿って延伸した一側経線パターン部、および、該一側経線パターン部から枝別れした複数本の一側枝線パターン部からなる一側櫛状電極パターンを設け、当該下面外装フィルム上他側に沿って延伸した対峙経線パターン部、および、該対峙経線パターン部から、前記一側枝線パターン部間に平行するよう枝別れした複数本の対峙枝線パターン部からなる対峙櫛状電極パターンを設け、緯線噛合状に配した各一側枝線パターン部と各対峙枝線パターン部との経線方向端間に渡って、１または複数本の何れか一方のヒーター帯膜を配してヒーター回路とした上、当該一側櫛状電極パターンおよび対峙櫛状電極パターンの適所から電源供給用ハーネス部を導出し、当該下面外装フィルムと上面外装フィルムとの間に、前記ヒーター回路を積層、密閉状に封止、一体化し、暖房対象区画または融雪対象区画内に敷設可能なシート状のものとした構成からなるフィルム型ヒーターとなる。
【０００９】
より具体的には、経線方向所定長、緯線方向所定幅のフレキシブル下面外装フィルム上面上に、緯線方向一方端寄りの経線方向に延伸した導電性一側経線パターン部、および、該一側経線パターン部の経線方向一定間隔置き毎となる複数箇所から枝別れし、当該フレキシブル下面外装フィルム上面上の、緯線方向他方端寄りとなる位置まで延伸した複数本の導電性一側枝線パターン部からなる一側櫛状電極パターンを設け、当該フレキシブル下面外装フィルム上面上の、一側経線パターン部とは反対がわであって、緯線方向他方端寄りの経線方向に延伸し、前記各一側枝線パターン部先端から電気的に隔絶した導電性対峙経線パターン部、および、該対峙経線パターン部経線方向の、前記各一側枝線パターン部間の中間位置に対応する複数箇所から枝別れし、当該フレキシブル下面外装フィルム上面上の、緯線方向一方端寄りの、前記一側経線パターン部近傍であって電気的に隔絶する位置まで延伸した複数本の導電性対峙枝線パターン部からなる対峙櫛状電極パターンを設け、経線方向に等間隔を隔てて緯線噛合状に配した各一側枝線パターン部と各対峙枝線パターン部との経線方向端間に渡り、フレキシブル下面外装フィルム上面上の緯線方向適宜間隔置き毎に配した複数本のヒーター帯膜を経線状に配列し、経線方向に交互に配した各一側枝線パターン部、各対峙枝線パターン部、および、それらに経線方向に跨る各ヒーター帯膜とが、互いの交叉箇所で電気的に接続するよう積層し、当該一側櫛状電極パターンの一側経線パターン部、および、対峙櫛状電極パターンの対峙経線パターンの適所から、夫々フレキシブル下面外装フィルム上面上より経緯方向何れかの外側に電源供給用ハーネス部を導出し、当該フレキシブル下面外装フィルム上面上の、一側櫛状電極パターンと対峙櫛状電極パターン、およびそれに積層したヒーター帯膜からなるヒーター回路上面上に、フレキシブル上面外装フィルムを積層状に一体化し、該フレキシブル下面外装フィルムとフレキシブル上面外装フィルムとの間に、前記ヒーター回路を密閉状にラミネート封止、一体化してなるものとした構成からなるフィルム型ヒーターとなる。                              
【発明の効果】
【００１０】
以上のとおり、この発明のフィルム型ヒーターによれば、従前までのものとは違い、上記したとおりの固有の特徴ある構成から、一側櫛状電極パターンおよび対峙櫛状電極パターンの互いの複数本の一側枝線パターン部と対峙枝線パターン部との経線方向端間に渡ってヒーター帯膜を配したものとしたから、隣接する一側枝線パターン部と対峙枝線パターン部との間に跨るヒーター帯膜の各部に、同ヒーター帯膜の経線方向に渡って均質な電力供給を与えるものとなり、当該フィルム型ヒーターの全面積に渡って均質な電力供給を実現化し、発熱斑を解消し、より効率的な放熱を可能とする上、部品点数の増加や構造の複雑化を招くことなく、短絡の発生リスクを低減し、より安全性および経済性に優れたものになるという秀でた特徴が得られるものである。
【００１１】
加えて、ヒーター回路をフレキシブル下・上面外装フィルムとの間に、密閉状にラミネート封止、一体化してなるものとしたから、柔軟且つ薄形化することができて床面仕上げ材下などへの敷設作業性に優れており、施工作業を効率化すると共に、耐久寿命を延命化し、防水性を高めて漏電や短絡を防止できるものとすることができるという効果をそうするものとなる。
【００１２】
ヒーター帯膜を、ＰＴＣ（Ｐｏｓｉｔｉｖｅ  Ｔｅｍｐｅｒａｔｕｒｅ  Ｃｏｅｆｆｉｃｉｅｎｔ：正温度係数）特性を有する発熱体としたものとすることにより、さらに、発熱斑を減少することができ、当該フィルム型ヒーターの全面積に渡り、より均質な発熱を実現化して一段と経済的にものにすることができるという大きな利点が得られることとなる。                                                                                        
【発明を実施するための最良の形態】
【００１３】
上記したとおりの構成からなるこの発明の実施に際し、その最良もしくは望ましい形態について説明を加えることにする。
下面外装フィルムは、ヒーター回路の下面がわを防水、絶縁するよう被覆し、他物との接触による破損を防止可能とする機能を担うものであり、可撓性を有するフレキシブル下面外装フィルムとするのが望ましく、ラミネート加工が可能な素材製のものとするのが良く、例えば、ポリエチレン、ポリエチレンテレフタレート、ポリプロピレン、ポリアミド、ポリカーボネート、ポリエステル、ポリ塩化ビニル、ポリ塩化ビニリデン、ポリスチレン、ポリウレタン、ポリイミド、変性ポリフェニレンエーテル、ポリスルホン、ポリアリレート、ポリエーテルスルホン、ポリエーテルエーテルケトン、ポリエーテルイミド、ポリフェニレンスルファイド、ポリパラキシレン、天然ゴム、イソプレンゴム、ブタジエンゴム、スチレン・ブタジエンゴム、クロロプレンゴム、ニトリルゴム、ポリイソブチレン、エチレンプロピレンゴム、クロロスルホン化ポリエチレン、アクリルゴム、フッ素ゴム、エピクロルヒドリンゴム、ウレタンゴム、シリコーンゴム、スチレン・ブタジエン・スチレンブロック共重合体、スチレン・イソプレン・スチレンブロック共重合体、スチレン・エチレン・ブチレン・スチレン共重合体、水素添加型スチレン・ブタヂエンランダム共重合、フェノール系樹脂、エポキシ系樹脂、アルキド樹脂、ポリウレタン系樹脂、アルキド・メラミン系樹脂、および、それら以外の素材の中から適宜選択したフィルムとすることができる。
【００１４】
上面外装フィルムは、ヒーター回路の上面がわを防水、絶縁するよう被覆し、他物との接触による破損を防止可能とする機能を担っており、可撓性を有するフレキシブル上面外装フィルムとするのが望ましく、前記下面外装フィルムと同様、前記何れかのフィルム素材からなるものとすることができる。
【００１５】
ヒーター回路は、外部電力の供給を受け、上・下面外装フィルムの間から発熱可能とする機能を担い、一側櫛状電極パターンと対峙櫛状電極パターンとの間にヒーター帯膜を掛け渡し状に配し、電気的に接続して一側櫛状電極パターンおよび対峙櫛状電極パターン間に電力を供給し、ヒーター帯膜が発熱するようにしてなるものとしなければならず、下面外装フィルム上一側に延伸した一側経線パターン部、および、該一側経線パターン部から枝別れした複数本の一側枝線パターン部からなる一側櫛状電極パターンを設け、当該下面外装フィルム上他側に延伸した対峙経線パターン部、および、該対峙経線パターン部から、前記一側枝線パターン部間に平行するよう枝別れした複数本の対峙枝線パターン部からなる対峙櫛状電極パターンを設け、緯線噛合状に配した各一側枝線パターン部と各対峙枝線パターン部との経線方向端間に渡り、１または複数本の何れか一方のヒーター帯膜を配してなるものとすることができる。
【００１６】
これは、後述する実施例にも示してあるとおり、経線方向所定長、緯線方向所定幅のフレキシブル下面外装フィルム上面上に、緯線方向一方端寄りの経線方向に延伸した導電性一側経線パターン部、および、該一側経線パターン部の経線方向一定間隔置き毎となる複数箇所から枝別れし、当該フレキシブル下面外装フィルム上面上の、緯線方向他方端寄りとなる位置まで延伸した複数本の導電性一側枝線パターン部からなる一側櫛状電極パターンを設け、当該フレキシブル下面外装フィルム上面上の、一側経線パターン部とは反対がわであって、緯線方向他方端寄りの経線方向に延伸し、前記各一側枝線パターン部先端から電気的に隔絶した導電性対峙経線パターン部、および、該対峙経線パターン部経線方向の、前記各一側枝線パターン部間の中間位置に対応する複数箇所から枝別れし、当該フレキシブル下面外装フィルム上面上の、緯線方向一方端寄りの、前記一側経線パターン部近傍であって電気的に隔絶する位置まで延伸した複数本の導電性対峙枝線パターン部からなる対峙櫛状電極パターンを設け、経線方向に等間隔を隔てて緯線噛合状に配した各一側枝線パターン部と各対峙枝線パターン部との経線方向端間に渡り、フレキシブル下面外装フィルム上面上の緯線方向適宜間隔置き毎に配した複数本のヒーター帯膜を経線状に配列し、経線方向に交互に配した各一側枝線パターン部、各対峙枝線パターン部、および、それらに経線方向に跨る各ヒーター帯膜とが、互いの交叉箇所で電気的に接続するよう積層し、当該一側櫛状電極パターンの一側経線パターン部、および、対峙櫛状電極パターンの対峙経線パターンの適所から、夫々フレキシブル下面外装フィルム上面上より経緯方向何れかの外側に電源供給用ハーネス部を導出してなるものとすることができることになる。
【００１７】
また、ヒーター回路は、一側櫛状電極パターン一側枝線パターン部、対峙櫛状電極パターン対峙枝線パターン部およびヒーター帯膜の積層上下関係を互いに入れ替え配置可能であり、例えば、一側櫛状電極パターン一側枝線パターン部上にヒーター帯膜を積層し、該ヒーター帯膜上に対峙櫛状電極パターン対峙枝線パターン部を積層するよう配したものとすることができる外、対峙櫛状電極パターン対峙枝線パターン部上にヒーター帯膜を積層し、該ヒーター帯膜上に一側櫛状電極パターン一側枝線パターン部を積層するよう配したものや、ヒーター帯膜上に一側櫛状電極パターン一側枝線パターン部および対峙櫛状電極パターン対峙枝線パターン部を積層するよう配したものとすることが可能である
【００１８】
一側櫛状電極パターンは、対峙櫛状電極パターンとの間に電力を供給し、ヒーター帯膜を発熱可能とする機能を担うものとし、電気伝導率に優れた素材製のものとしなければならず、例えば、銅、金、銀、鉛、亜鉛、錫、鉄、アルミニウム、その他、および、何れかの合金、複合素材製とすることが可能であり、それら何れかの素材からなる箔、薄膜、薄板からなるものとすることができ、フレキシブル上・下面外装フィルムと共に、柔軟に変形可能とするよう弾性変形可能なものとするのが良く、一側経線パターン部および一側枝線パターン部を、エッチング、切削、プレス加工、レーザー加工などの適宜加工によって形造ったものとすることが可能である。
【００１９】
一側経線パターン部は、外部電力の供給を受け、一側枝線パターン部に対して高効率で電力供給可能とする機能を担っていて、下面外装フィルム上一側に沿って延伸し、枝別れした複数本の一側枝線パターン部に、略均質に電力供給可能とするものとすべきであり、後述する実施例にも示すように、電流の流れ方向の断面積を、１つの一側枝線パターン部の電流の流れ方向の断面積よりも大きく設定したものとすることができる。
【００２０】
一側枝線パターン部は、対峙櫛状電極パターンの対峙枝線パターン部との間に配するヒーター帯膜に電流を供給可能とする機能を担うものであり、一側櫛状電極パターンの一部であって、一側経線パターン部と一体化して低電気抵抗に電流を供給可能とするものとすべきであり、下面外装フィルム上一側に沿って延伸した一側経線パターン部から枝別れした複数本の電気回路パターン部分であるということができ、後述する実施例にも示してあるとおり、経線方向所定長、緯線方向所定幅の下面外装フィルム上面上に、緯線方向一方端寄りの経線方向に延伸した導電性一側経線パターン部の経線方向一定間隔置き毎となる複数箇所から枝別れし、当該下面外装フィルム上面上の、緯線方向他方端寄りとなる位置まで延伸した複数本の導電性回路パターンとすることができる。
【００２１】
対峙櫛状電極パターンは、一側櫛状電極パターンと互いの、一側・対峙枝線パターン部同士を噛み合わせ状且つ非接触状態に対峙し、それら一側・対峙枝線パターン部同士間に掛け渡したヒーター帯膜に電流を供給可能とする機能を担い、下面外装フィルム上他側に沿って延伸した対峙経線パターン部、および、該対峙経線パターン部から前記一側枝線パターン部間に平行するよう枝別れした複数本の対峙枝線パターン部からなるものとするのが望ましく、材質は前記一側櫛状電極パターンと同一のものとすると好都合のものとなる。
【００２２】
対峙経線パターン部は、外部電力の供給を受け、対峙枝線パターン部に対して効率良く電力供給可能とする機能を担い、下面外装フィルム上一側に沿って延伸した一側経線パターン部に対し、一側・対峙枝線パターン部の配設範囲を挟み、該下面外装フィルム上他側に沿って延伸し、一側経線パターン部に対して平行状に対峙するよう配したものとすべきであり、後述する実施例にも示すように、前記一側経線パターン部と同様、電流の流れ方向の断面積を、１つの対峙枝線パターン部の電流の流れ方向の断面積よりも大きく設定したものとすることができる。
【００２３】
対峙枝線パターン部は、一側櫛状電極パターンの一側枝線パターン部との間に配したヒーター帯膜に電流を供給可能とする機能を担うものとし、対峙櫛状電極パターンの一部であって、対峙経線パターン部と一体化し、電流を効率良く供給可能とするものとすべきであり、下面外装フィルム上他側に沿って延伸した一側経線パターン部から枝別れした複数本の電気回路パターン部分であると言うことができ、後述する実施例にも示しているとおり、経線方向所定長、緯線方向所定幅の下面外装フィルム上面上に、緯線方向他方端寄りの経線方向に延伸した導電性対峙経線パターン部の経線方向一定間隔置き毎となる複数箇所から枝別れし、当該下面外装フィルム上面上の、緯線方向一方端寄りとなる位置まで延伸した複数本の導電性回路パターンとし、各先端部分は、一側櫛状電極パターンに短絡しない形状および配置としたものとするのが良い。
前記の一側櫛状電極パターンおよび対峙櫛状電極パターンは、何もフレキシブル上・下面外装フィルムと同等か、または、それ以上に柔軟な素材製のものなどとすることが可能である。
【００２４】
ヒーター帯膜は、外部から電流の供給を受け、上・下面外装フィルムの間から発熱可能とする機能を担っており、シート状の発熱体としなければならず、ニクロム線や炭素繊維からなるものとすることができ、ＰＴＣ（Ｐｏｓｉｔｉｖｅ  Ｔｅｍｐｅｒａｔｕｒｅ  Ｃｏｅｆｆｉｃｉｅｎｔ：正温度係数）特性を有する発熱体からなるものとするのが望ましく、炭素繊維やグラファイトからなるもの、または、耐熱性基材に対して炭素繊維やグラファイトを塗布および含浸の少なくとも何れか一方の処理によって製造したものなどとすることができ、後述する実施例にも示してあるとおり、フレキシブル上・下面外装フィルムと同等か、または、それ以上に柔軟な素材製のものとするのが良い。
【００２５】
電源供給用ハーネス部は、上・下面外装フィルム間のヒーター回路に対して外部電力を供給可能とする機能を担っており、一側櫛状電極パターン、および、これに対をなす対峙櫛状電極パターンに夫々接続し、交流電源または直流電源の何れか一方を供給可能とするものとすべきであり、後述する実施例にも示すとおり、銅製の電線コードとすることができる。
以下では、図面に示すこの発明を代表する実施例と共に、その構造について詳述することとする。                                                                                    
【図面の簡単な説明】
【００２６】
図面は、この発明のフィルム型ヒーターの技術的思想を具現化した代表的な一実施例を示すものである。
【図１】フィルム型ヒーターを示す平面図である。
【図２】フィルム型ヒーターの分解状態を示す平面図である。
【実施例１】
【００２７】
図１および図２に示す事例は、下面外装フィルム２上一側に沿って延伸した一側経線パターン部５０、および、該一側経線パターン部５０から枝別れした複数本の一側枝線パターン部５１，５１，……からなる一側櫛状電極パターン５を設け、当該下面外装フィルム２上他側に沿って延伸した対峙経線パターン部６０、および、該対峙経線パターン部６０から、前記一側枝線パターン部５１，５１，……間に平行するよう枝別れした複数本の対峙枝線パターン部６１，６１，……からなる対峙櫛状電極パターン６を設け、緯線噛合状に配した各一側枝線パターン部５１，５１，……と各対峙枝線パターン部６１，６１，……との経線方向端間に渡り、１または複数本の何れか一方のヒーター帯膜７を配してヒーター回路４とした上、当該一側櫛状電極パターン５および対峙櫛状電極パターン６の適所から電源供給用ハーネス部８を導出し、当該下面外装フィルム２と上面外装フィルム３との間に、前記ヒーター回路４を積層、密閉状に封止、一体化してなるものとした、この発明のフィルム型ヒーターにおける代表的な一実施例を示すものである。
【００２８】
それら各図からも明確に把握できるとおり、この発明のフィルム型ヒーター１は、経線方向所定長（６０ｃｍ）、緯線方向所定幅（２９ｃｍ）の無色透明なＰＥＴ（ポリエチレンテレフタレート）製フレキシブル下面外装フィルム２上面上に、緯線方向一方端寄りの経線方向に延伸した導電性（銅箔製）一側経線パターン部５０、および、該一側経線パターン部５０の経線方向一定間隔（１０ｃｍ）置き毎となる複数箇所（５箇所）から枝別れし、当該フレキシブル下面外装フィルム２上面上の、緯線方向他方端寄りとなる位置まで延伸した複数本の導電性（銅箔製）一側枝線パターン部５１，５１，……からなる一側櫛状電極パターン５を設けたものとする。
【００２９】
当該フレキシブル下面外装フィルム２上面上の、一側経線パターン部５０とは反対がわであって、緯線方向他方端寄りの経線方向に延伸し、前記各一側枝線パターン部５１，５１，……先端から電気的に隔絶した導電性（銅箔製）対峙経線パターン部６０、および、該対峙経線パターン部６０経線方向の、前記各一側枝線パターン部５１，５１，……間の中間位置に対応する複数箇所から枝別れし、当該フレキシブル下面外装フィルム２上面上の、緯線方向一方端寄りの、前記一側経線パターン部５０近傍であって電気的に隔絶する位置まで延伸した複数本の導電性（銅箔製）対峙枝線パターン部６１，６１，……からなる対峙櫛状電極パターン６を設けたものである。
【００３０】
さらに、当該フレキシブル下面外装フィルム２上面上の、経線方向に等間隔（５ｃｍ）を隔てて緯線噛合状に配した各一側枝線パターン部５１，５１，……と各対峙枝線パターン部６１，６１，……との経線方向端間に渡り、フレキシブル下面外装フィルム２上面上の緯線方向適宜間隔（３ｍｍ）置き毎に配した、ＰＴＣ（Ｐｏｓｉｔｉｖｅ  Ｔｅｍｐｅｒａｔｕｒｅ  Ｃｏｅｆｆｉｃｉｅｎｔ：正温度係数）特性を有する複数本のヒーター帯膜７，７，……を経線状に配列し、経線方向に交互に配した各一側枝線パターン部５１，５１，……、各対峙枝線パターン部６１，６１，……、および、それらに経線方向に跨る各ヒーター帯膜７，７，……とが、互いの交叉箇所で電気的に接続するよう積層し、当該一側櫛状電極パターン５の一側経線パターン部５０、および、対峙櫛状電極パターン６の対峙経線パターン６０の適所から、夫々フレキシブル下面外装フィルム２上面上より経線方向外側に電源供給用ハーネス部８を導出し、当該フレキシブル下面外装フィルム２上面上の、一側櫛状電極パターン５と対峙櫛状電極パターン６、およびそれに積層したヒーター帯膜７，７，……からなるヒーター回路４上面上に、ＰＥＴ（ポリエチレンテレフタレート）製フレキシブル上面外装フィルム３を積層状に一体化するようにし、該フレキシブル下面外装フィルム２とフレキシブル上面外装フィルム３との間に、前記ヒーター回路４を密閉状にラミネート封止、一体化して、全厚さ０．４ｃｍのフィルム型ヒーター１としたものである。
【００３１】
（実施例１の作用・効果）
以上のとおりの構成からなるこの発明のフィルム型ヒーター１は、図１および図２からも明確に理解できる通り、経線方向所定長（６０ｃｍ）、緯線方向所定幅（２９ｃｍ）の無色透明なＰＥＴ（ポリエチレンテレフタレート）製フレキシブル下面外装フィルム２、およびフレキシブル上面外装フィルム３との間に、ヒーター回路４を密閉状にラミネート封止して全厚さ０．４ｃｍのシート状のものとしたから、１枚単位の重量を大幅に軽量化し、運搬および取扱い性に優れ、床面下地材上に敷設したミラーマットなどのヒーター保護断熱シート（図示せず）上に、当該フィルム型ヒーター１の複数枚を互いに重なり合わない配置とするよう敷き詰め、ヒーター回路４より外側となるフレキシブル下・上面外装フィルム２，３の外周縁鋤く数個所を、タッカー釘などを用いて仮固定し、各電源供給用ハーネス部８を床面下地材下に貫通して床下配線し、室内壁適所に設けたコントローラーに接続し、各フィルム型ヒーター１，１，……の周囲、および各フィルム型ヒーター１，１，……の間を養生粘着テープで固定し、その上にフローリングやクッションフロアなどを施工することが可能であり、新設の床面だけでなく、既設の床面にも容易に設置することができるという大きな利点を有している。
【００３２】
（結  び）
叙述の如く、この発明のフィルム型ヒーターは、その新規な構成によって所期の目的を遍く達成可能とするものであり、しかも製造も容易で、従前からのシート状床暖房装置に比較して均熱シートを不要として部品点数を削減し、一段と薄形化したものとすることができる上、軽量且つ低廉化して遥かに経済的なものとすることができから、設置および維持経費を削減したいと希望するユーザーは勿論のこと、床下暖房や舗装路面の凍結防止設備や融雪設備を、より経済的に提供、設置出来る新技術の開発に期待を寄せる建設業界、建具業界、内装業界、エクステリア業界および建築、土木業界等においても高く評価され、広範に渡って利用、普及していくものになると予想される。                                        
【符号の説明】
【００３３】
１      フィルム型ヒーター
２      フレキシブル下面外装フィルム（下面外装フィルム）
３      フレキシブル上面外装フィルム（上面外装フィルム）
４      ヒーター回路
５      一側櫛状電極パターン
５０    同  一側経線パターン部
５１    同  一側枝線パターン部
６      対峙櫛状電極パターン
６０    同  対峙経線パターン部
６１    同  対峙枝線パターン部
７      ヒーター帯膜
８      電源供給用ハーネス部
【図１】
2017191762.tif 000003
【図２】
2017191762.tif 000004